(57)【要約】【課題】組立部材として木製のパネル体を使用することにより、室内に湿気がこもりにくく、また自然の温もりが感じられ、更に木の香りによりストレスを和らげる効果やリラックス効果が期待できるようにした分解及び組み立てが可能な居室構造体を提供する。【解決手段】居室構造体１は、分解及び組み立てが可能である。居室構造体１は、相互に接合することで出入口５００を有する周壁１００、天井部２００及び床部３００を構成する木製のパネル体を複数備えている。光を通す隙間が上記周壁１００及び天井部２００を構成する各パネル体５１，５２，６１，６１，２１，２２の接合部分に形成されないように、パネル体の一方の接合部分には、パネル体の他方の接合部分に形成された凸部または突条部と嵌り合う凹部または溝部が形成されている。【選択図】図１
2007092374.tif 000002
【特許請求の範囲】
【請求項１】
分解及び組み立てが可能な居室構造体において、
相互に接合することで出入口(500)を有する周壁(100)、天井部(200)及び床部(300)を構成する木製のパネル体を複数備えており、 
光を通す隙間が上記周壁(100)及び天井部(200)を構成する各パネル体(51,52,61,62,7,8,21,22)の接合部分に形成されないように、パネル体の一方の接合部分には、パネル体の他方の接合部分に形成された凸部または突条部と嵌り合う凹部または溝部が形成されていることを特徴とする、
居室構造体。
【請求項２】
周壁(100)を構成するパネル体(51,52,61,62,7,8)のうち、向かい合わせに配置されたパネル(51,52,61,62)の間には、床部(300)を構成する木製のパネル体(31,32)を載置できる連結部材(33)が並設状態で架設されており、
上記床部(300)を構成するパネル体(31,32)は、周壁(100)を構成する各パネル体(51,52,61,62,7,8)の内側面と接触することを防止できる大きさで形成されていることを特徴とする、
請求項１記載の居室構造体。  
【請求項３】
出入口(500)を構成する開口部を有する出入口枠(5)を備えており、
該出入口枠(5)は、周壁(100)を構成するパネル(51,52,61,62,7,8)のうち、相互に接合されるパネル体の一方(51)とパネル体の他方(52)の間に左右両側から挟み込まれるようにして配置され、該パネル体の一方(51)と他方(52)には、出入口枠(5)を嵌め入れる嵌合凹部(510)(520)がそれぞれ形成されていることを特徴とする、
請求項１または２記載の居室構造体。
【請求項４】
周壁(100)を構成するパネル体(51,52,61,62,7,8)のうち、一辺の側壁を構成するパネル体(8)を間に挟むようにして向かい合わせに配置されたパネル体(52,62)の端部側は、間に挟まれた上記パネル体(8)よりも周壁(100)外方にそれぞれ張り出して張出部(521,621)を構成し、該張出部(521,621)の間には、該張出部(521,621)と協働して空気調節装置用の配管(91,91a)を収容できる空間部(90)を区画するパネル体(9)が接合されていることを特徴とする、
請求項１ないし３のいずれかに記載の居室構造体。
【請求項５】
分解及び組み立てが可能な居室構造体において、
周壁(100)を構成する所要数の正面パネル(51,52)、背面パネル(61,62)、右側面パネル(7)、左側面パネル(8)と、      
天井部(200)を構成する一または二以上の天井パネル(21,22)と、
床部(300)を構成する一または二以上の床パネル(31,32)と、
出入口(500)を構成する開口部を備えた出入口枠(5)と、
を備えており、
少なくとも上記正面パネル(51,52)、背面パネル(61,62)、右側面パネル(7)、左側面パネル(8)、天井パネル(21,22)及び床パネル(31,32)は木製のパネル体でそれぞれ形成されており、
光を通す隙間が上記周壁(100)及び天井部(200)を構成する各パネル体(51,52,61,62,7,8)の接合部分に形成されないように、該パネル体の一方の接合部分には、パネル体の他方の接合部分に形成された凸部または突条部と嵌り合う凹部または溝部が形成されており、
向かい合わせに配置された正面パネル(51,52)と背面パネル(61,62)の間、または右側面パネル(7)と左側面パネル(8)の間には、上記床パネル(31,32)を載置できる連結部材(33)が並設状態で架設され、上記床パネル(31,32)は周壁(100)を構成する各パネル体(51,52,61,62,7,8)の内側面と接触することを防止できる大きさで形成されており、
上記出入口枠(5)は、周壁(100)のうち正面側の側壁を構成する二枚の正面パネル(51,52)の間に左右両側から挟み込まれるようにして配置され、該正面パネル(51,52)には、出入口枠(5)を嵌め入れる嵌合凹部(510)(520)がそれぞれ形成されており、
右側面パネル(7)または／及び左側面パネル(8)を間に挟むようにして向かい合わせに配置された正面パネル(52)及び背面パネル(62)の端部側は、間に挟まれた上記右側面パネル(7)または／及び左側面パネル(8)よりも周壁(100)外方にそれぞれ張り出した張出部(521,621)を構成し、該張出部(521,621)の間には、該張出部(521,621)と協働して空気調節装置用の配管(91,91a)を収容できる空間部(90)を区画するパネル体(9)が接合されていることを特徴とする、
居室構造体。
【請求項６】
居室構造体(1)(1A)同士は積み重ねできるように構成されており、該居室構造体(1)(1A)には、積み重ねた際に居室構造体(1)(1A)同士の位置がずれないようにするための手段(102)(103)が設けてあることを特徴とする、
請求項１ないし５のいずれかに記載の居室構造体。
【発明の詳細な説明】
【技術分野】
【０００１】
本発明は居室構造体に関する。
更に詳しくは、組立部材として木製のパネル体を使用することにより、室内に湿気がこもりにくく、また自然の温もりが感じられ、更に木の香りによりストレスを和らげる効果やリラックス効果が期待できるようにした分解及び組み立てが可能な居室構造体に関する。
【背景技術】
【０００２】
我が国は世界有数の地震多発国であり、震災時の避難所の確保やその運営、あるいは応急仮設住宅の建設等は、震災対策上、重要な課題の一つとなっている。震災時の避難所としては、身近な小・中学校が指定されている。そして、大震災級の大きな地震の場合、復興までに時間を要するため、体育館等の避難所での避難生活が長引くことになる。
【０００３】
体育館等の避難所では、同じ屋根の下、地域の不特定多数の人が集団避難生活を送らなければならない。このため、避難者にはプライバシーが確保されず、大きなストレスとなる。
【０００４】
したがって、避難生活が長期に渡る場合には、避難所の中にプライバシーが保たれるような居室構造体を設置することが好ましい。しかも、緊急時だけに簡易的に設置できるように、居室構造体を分解及び組み立てに構成することが好ましい。
【０００５】
例えば特許文献１には、この種の居室構造体として組立式カプセルが提案されている。これによれば、ポリプロピレン樹脂製の厚物中空構造板を組み合わせることによって、カプセルの分解及び組み立てを可能としている。
【特許文献１】特開平９−２５６６５４号公報（第９頁、第１図）
【発明の開示】
【発明が解決しようとする課題】
【０００６】
しかしながら、特許文献１に記載の組立式カプセルは、通気性を有さないプラスチック製のパネルを使用しているため、素材の性質上、カプセル内に湿気がこもりやすく、カビも発生しやすい。また、プラスチックの無機質で冷たい感触による心理的な圧迫感に加え、プラスチック特有の臭いは、肉体的にも精神的にも疲れた被災者にとって心地良いものではなく、妊婦等の臭いに過敏な人にとっては吐き気やめまいの原因にもなる。
【０００７】
このようなことから、本発明者は上記した居室構造体を組み立てる材料として、木材に着目した。木材は自然の呼吸機能によって湿度を調整するため、プラスチック製のパネルと比べ、室内に湿気がこもりにくい。更に、手触りや外観などの印象において自然の温もりが感じられると共に、木の香りよってストレスを和らげる効果やリラックス効果も期待される。
【０００８】
そこで、本発明者は、居室構造体の構成材料として木材の適用を試みたところ、以下のような課題に直面した。
即ち、木材は周りの湿度に応じて膨張・収縮を繰り返すため、多少の寸法変化を伴う。このため、特許文献１記載のもののように、単にパネルの面と面を突き合わせただけでは、接合部分に隙間が生じやすく、その結果、その隙間から光が居室内に漏れてしまう。
【０００９】
また特許文献１に記載のものは、一段目の天井部と二段目の床部を同じ一枚の床板パネルで形成し、更に一段目と二段目の間に隙間が生じないように、床板パネルの幅を側板の間隔とほぼ同一の幅としている。よって、この床板パネル及び側板を単に木材で作製しただけでは、床板パネルに載った人の重みにより、床板パネルの側縁部が側板の内壁と擦れ合って、ギシギシといった乾いた軋み音が発生しやすい。このため、二段ベッドの如く、居室構造体を上下重ねて製作した場合では、二段目から発生する軋み音によって、一段目に居住する被災者に迷惑がかかる。
【００１０】
更に、体育館等の避難所では設置スペースが限られているため、居室構造体はできるだけコンパクトな形状が好ましいが、狭さから生じる圧迫感によって被災者が精神的苦痛を受けることはできるだけ避けたい。そこで、圧迫感をできるだけ和らげるために、出入口を大きく開口することが考えられる。しかし、開口部を広くすることによって、全体の物理的強度または機械的強度が低下することは好ましくない。
【００１１】
また更に、居室構造体に空調設備を設けることも考えられる。しかし、大人数が集まる体育館等の狭い避難所に居室構造体を設置するだけでも圧迫感を感じるため、それに加えて空調用の配管等が外に複雑に露出するようなことになれば、圧迫感は更に強まり、精神衛生上、好ましくない。
【００１２】
（本発明の目的）
そこで本発明の目的は、分解及び組み立てが可能な居室構造体において、組立部材として木製のパネル体を使用することにより、居室内に湿気がこもりにくく、また素材としての自然の温もりが感じられ、更に木の香りによりストレスを和らげる効果やリラックス効果が期待できるようにしたものを提供することにある。
【００１３】
本発明の他の目的は、居室構造体の周壁及び天井部を構成する各パネル体の接合部分に光を通す隙間が形成されることを防止することにある。
【００１４】
本発明の他の目的は、床パネルに人が載ったときに木材特有の乾いた軋み音が発生することを防止することにある。
【００１５】
本発明の他の目的は、居室構造体に出入口を大きく設けた場合でも、全体の物理的強度または機械的強度が低下することを防止することにある。
【００１６】
本発明の他の目的は、居室構造体に空調設備を設けた場合でも、空調用の配管が外に露出することを防止することにある。
【課題を解決するための手段】
【００１７】
上記目的を達成するために本発明が講じた手段は次のとおりである。
なお、後述する作用の説明の理解を助けるため、図面において使用した符号を括弧を用いて記載しているが、各構成要件を図面記載のものに限定するものではない。
【００１８】
第１の発明にあっては、
分解及び組み立てが可能な居室構造体において、
相互に接合することで出入口(500)を有する周壁(100)、天井部(200)及び床部(300)を構成する木製のパネル体を複数備えており、 
光を通す隙間が上記周壁(100)及び天井部(200)を構成する各パネル体(51,52,61,62,7,821,22)の接合部分に形成されないように、パネル体の一方の接合部分には、パネル体の他方の接合部分に形成された凸部または突条部と嵌り合う凹部または溝部が形成されていることを特徴とする、
居室構造体である。
【００１９】
第２の発明にあっては、
周壁(100)を構成するパネル体(51,52,61,62,7,8)のうち、向かい合わせに配置されたパネル(51,52,61,62)の間には、床部(300)を構成する木製のパネル体(31,32)を載置できる連結部材(33)が並設状態で架設されており、
上記床部(300)を構成するパネル体(31,32)は、周壁(100)を構成する各パネル体(51,52,61,62,7,8)の内側面と接触することを防止できる大きさで形成されていることを特徴とする、
第１の発明に係る居室構造体である。
【００２０】
第３の発明にあっては、
出入口(500)を構成する開口部を有する出入口枠(5)を備えており、
該出入口枠(5)は、周壁(100)を構成するパネル(51,52,61,62,7,8)のうち、相互に接合されるパネル体の一方(51)とパネル体の他方(52)の間に左右両側から挟み込まれるようにして配置され、該パネル体の一方(51)と他方(52)には、出入口枠(5)を嵌め入れる嵌合凹部(510)(520)がそれぞれ形成されていることを特徴とする、
第１または第２の発明に係る居室構造体である。
【００２１】
第４の発明にあっては、
周壁(100)を構成するパネル体(51,52,61,62,7,8)のうち、一辺の側壁を構成するパネル体(8)を間に挟むようにして向かい合わせに配置されたパネル体(52,62)の端部側は、間に挟まれた上記パネル体(8)よりも周壁(100)外方にそれぞれ張り出して張出部(521,621)を構成し、該張出部(521,621)の間には、該張出部(521,621)と協働して空気調節装置用の配管(91,91a)を収容できる空間部(90)を区画するパネル体(9)が接合されていることを特徴とする、
第１ないし第３のいずれかの発明に係る居室構造体である。
【００２２】
第５の発明にあっては、
分解及び組み立てが可能な居室構造体において、
周壁(100)を構成する所要数の正面パネル(51,52)、背面パネル(61,62)、右側面パネル(7)、左側面パネル(8)と、      
天井部(200)を構成する一または二以上の天井パネル(21,22)と、
床部(300)を構成する一または二以上の床パネル(31,32)と、
出入口(500)を構成する開口部を備えた出入口枠(5)と、
を備えており、
少なくとも上記正面パネル(51,52)、背面パネル(61,62)、右側面パネル(7)、左側面パネル(8)、天井パネル(21,22)及び床パネル(31,32)は木製のパネル体でそれぞれ形成されており、
光を通す隙間が上記周壁(100)及び天井部(200)を構成する各パネル体(51,52,61,62,7,8)の接合部分に形成されないように、該パネル体の一方の接合部分には、パネル体の他方の接合部分に形成された凸部または突条部と嵌り合う凹部または溝部が形成されており、
向かい合わせに配置された正面パネル(51,52)と背面パネル(61,62)の間、または右側面パネル(7)と左側面パネル(8)の間には、上記床パネル(31,32)を載置できる連結部材(33)が並設状態で架設され、上記床パネル(31,32)は周壁(100)を構成する各パネル体(51,52,61,62,7,8)の内側面と接触することを防止できる大きさで形成されており、
上記出入口枠(5)は、周壁(100)のうち正面側の側壁を構成する二枚の正面パネル(51,52)の間に左右両側から挟み込まれるようにして配置され、該正面パネル(51,52)には、出入口枠(5)を嵌め入れる嵌合凹部(510)(520)がそれぞれ形成されており、
右側面パネル(7)または／及び左側面パネル(8)を間に挟むようにして向かい合わせに配置された正面パネル(52)及び背面パネル(62)の端部側は、間に挟まれた上記右側面パネル(7)または／及び左側面パネル(8)よりも周壁(100)外方にそれぞれ張り出した張出部(521,621)を構成し、該張出部(521,621)の間には、該張出部(521,621)と協働して空気調節装置用の配管(91,91a)を収容できる空間部(90)を区画するパネル体(9)が接合されていることを特徴とする、
居室構造体である。
【００２３】
第６の発明にあっては、
居室構造体(1)(1A)同士は積み重ねできるように構成されており、該居室構造体(1)(1A)には、積み重ねた際に居室構造体(1)(1A)同士の位置がずれないようにするための手段(102)(103)が設けてあることを特徴とする、
第１ないし第５のいずれかの発明に係る居室構造体である。
【００２４】
（作  用）
本発明に係る居室構造体は、次のように作用する。
本発明に係る居室構造体は、分解及び組み立てが可能であるため、災害等の緊急時に簡易的に設置できる居室構造体として好適である。
【００２５】
例えば災害時等には、組み立て部材である木製のパネル体を接合して居室構造体を組み立てる。不使用には、分解してパネル体の状態で保管する。
【００２６】
居室構造体は、組立部材として木製のパネル体を使用しているので、後述する発明の効果に記載しているような、木材特有の様々な作用を奏する。
【００２７】
また、居室構造体を組み立てる際には、パネル体の一方の接合部分に形成された凹部または溝部に、パネル体の他方の接合部分に形成された凸部または突条部を嵌め合うようにして、各パネル体を接合する。これにより、木の膨張・収縮によってパネル体が多少寸法が変化したとしても、その変形の範囲が凸部と凹部、または突条部と溝部の重なり内に収まれば、パネル体の接合部に光が差し込む隙間が形成されることを防止できる。
【００２８】
更に、床部(300)を構成する木製のパネル体(31,32)を載置できる連結部材(33)が並設状態で架設されており、床部(300)を構成するパネル体(31,32)が、周壁(100)を構成する各パネル体(51,52,61,62,7,8)の内側面と接触することを防止できる大きさで形成されているものは、床部(300)に人が乗っても、床部(300)を構成するパネル体(31,32)が、周壁(100)を構成する各パネル体(51,52,61,62,7,8)の内側面と接触することが防止されるので、木材特有の乾いた軋み音が発生しにくい。
【００２９】
出入口(500)を構成する出入口枠(5)が、相互に接合されるパネル体の一方とパネル体の他方の間に左右両側から挟み込まれるようにして配置されるものは、居室構造体の組み立て時に、パネル体に形成されている嵌合凹部(510)(520)に出入口枠(5)を嵌め入れる。そうすると、出入口枠(5)がパネル体の一方と他方とを連結する部材として作用するので、居室構造体に出入口を大きく設けた場合でも、出入口部分の物理的強度または機械的強度が低下することを防止できる。
【００３０】
空気調節装置用の配管を収容できる空間部(90)をパネル体(9)で区画できるものは、この空間部に空気調節装置用の配管を収容して、配管が外に露出しないようにする。
【発明の効果】
【００３１】
本発明は上記構成を備え、次の効果を有する。
（ａ）本発明に係る居室構造体は、分解及び組み立てが可能であるため、災害等の緊急時に簡易的に設置できる居室構造体として好適である。また、特に災害等の緊急時の使用に限定させず、例えば自宅で使用する簡易ベッドや個室構造体として、あるいはカプセルホテル等の宿泊施設に使用する個室ベッドとしても好適に使用できる。更に、居室構造体の分解及び組み立てが可能であるため、建物への搬入または搬出が容易にできるという利点も有する。
【００３２】
（ｂ）本発明に係る居室構造体は、組立部材として木製のパネル体を使用している。これにより、プラスチック製の居室構造体と比べ、木材の自然の呼吸機能の作用で居室内に湿気がこもりにくい。また、木の手触りや外観などの印象において自然の温もりが感じられると共に、木の香りよってストレスを和らげる効果やリラックス効果が期待される。したがって、大きなストレスを感じやすい災害時の体育館等の避難所等で使用する居室構造体として好適である。また、分解及び組み立てができるので、緊急時に簡易的に設置できる。
【００３３】
（ｃ）また相互に接合する木製パネルのうち、木製パネルの一方の接合部には、該接合後に光が差し込む隙間が形成されないように、木製パネルの他方の接合部に形成された突部または突条部と嵌り合う凹部または溝が形成されているので、温度や湿度の変化によって木が膨張・収縮してパネル体が多少寸法が変化したとしても、居居室内に光が漏れるような隙間が形成されることを防止できる。
【００３４】
（ｄ）床パネルが周壁を構成する各パネル体の内側面と接触しないように、その大きさが設定されているものは、床パネルに人が載ったときに木材特有の乾いた軋み音が発生しにくい。
【００３５】
（ｅ）出入口を構成する出入口枠が、相互に接合されるパネル体の一方とパネル体の他方の間に左右両側から挟み込まれるようにして配置されているものは、出入口枠がパネル体の一方と他方とを連結する部材として作用するので、居室構造体に出入口を大きく設けた場合でも、出入口部分の物理的強度または機械的強度が低下することを防止できる。
【００３６】
（ｆ）空気調節装置用の配管を収容できる空間部を閉鎖パネルで区画できるものでは、この空間部に空気調節装置用の配管を収容することによって、配管は外から見えなくなる。このように、居室構造体に空調設備を設けた場合でも、空調用の配管等が露出することを防止できる。
【発明を実施するための最良の形態】
【００３７】
以下、本発明を実施例により説明するが、本発明はこれらに限定されるものではない。
【００３８】
本発明を図面に示した実施例に基づき更に詳細に説明する。
【実施例】
【００３９】
［居室構造体１，１Ａの構造］
図１ないし図４は、本発明に係る居室構造体の一実施例を示す説明図である。
図１は、居室構造体を上下二段に積み重ねた状態を示す正面視説明図、
図２は、図１に示す居室構造体を垂直方向に断面して内部構造を表した正面視説明図、
図３は、図１に示す居室構造体を幅方向に断面して内部構造を表した側面視説明図、
図４は、図１に示す一段目の居室構造体を水平方向に切った端面を表した平面視概略説明図である。
【００４０】
居室構造体１，１Ａはユニット化されており、上下方向に複数段（本実施例では上下二段に）積み重ねることができる。各居室構造体１，１Ａは、図４に示すようにその断面が平面視方形状（本実施例では長方形状）の箱体であり、複数の木製のパネルを組み立てることで、その全体構造が形成される。
【００４１】
以下、説明の便宜上、一段目の居室構造体１を「第一居室構造体１」、二段目の居室構造体１Ａを「第二居室構造体１Ａ」という場合がある。第一居室構造体１と第二居室構造体１Ａの違いは、第二居室構造体１Ａ（図１参照）の出入口５００ａの右横に手摺り１１が設けられている点であり、その他の構造は同じか大体同じである。
【００４２】
構造については、第一居室構造体１について主に説明し、第二居室構造体１Ａについては説明を省略する。なお、第一居室構造体１にも同様に手摺り１１を設けることもできるし、第二居室構造体１Ａの手摺り１１を省略することもできる。
【００４３】
また図面中、第二居室構造体１Ａの各構成部材には、第一居室構造体１の構成部材に付した符号にアルファベットの「ａ」を加えた符号を付している。
【００４４】
図１及び図２に示すように、居室構造体１は、出入口５００が設けられた周壁１００と、周壁１００の上下両端側にそれぞれ設けられる天井部２００及び床部３００を備えている。図面中、周壁１００、天井部２００及び床部３００については、符号に括弧を付けて表している。
【００４５】
図５ないし図８は、図１に示す居室構造体を構成する組立部材の概略を説明するための図である。
図５は、第一居室構造体の主な組立部材を示す分解斜視説明図、
図６は、組み立てた周壁と、周壁の底側に載置する床パネルを示す斜視説明図、
図７は、周壁に天井パネルを取り付けている状態を示す斜視説明図、
図８は、上下二段に積み重ねた周壁の側面側に、閉鎖パネルを取り付けている状態を示す斜視説明図である。
【００４６】
居室構造体１は分解及び組み立てが可能である。図５及び図６に示すように、周壁１００は、合計二枚の正面パネル５１，５２、合計二枚の背面パネル６１，６２、各一枚の右側面パネル７及び左側面パネル８で主に構成されている。
【００４７】
正面パネル５１，５２側に設けられる出入口５００は、出入口枠５の開口部によって構成される。床部３００は、二枚の床パネル３１，３２で主に構成される。図７に示すように、天井部２００は二枚の天井パネル２１，２２で構成される。
【００４８】
なお、正面パネル５１，５２は、同じか大体同じ大きさの二枚のパネルで正面側の側壁を構成できる。説明の便宜上、正面視で右側に位置するものを「第一正面パネル５１」といい、左側に位置するものを「第二正面パネル５２」という場合がある。
【００４９】
また、背面パネル６１，６２についても同様であり、正面視で右側に位置するものを「第一背面パネル６１」といい、左側に位置するものを「第二背面パネル６２」という場合がある。
【００５０】
図４で左端に示すように、第二正面パネル５２及び第二背面パネル６２は、その端部側（図４で左端側）で左側面パネル８を間に挟むようにして向かい合わせに配置されている。この第二正面パネル５２及び第二背面パネル６２の端部側は、左側面パネル８よりも周壁１００外方にそれぞれ張り出した張出部５２１，６２１を構成している。
【００５１】
張出部５２１，６２１の端部（図４で左端部）には、両者の間を掛け渡すようにして閉鎖パネル９が接合されている。この張出部５２１，６２１と閉鎖パネル９は、互いに協働して空気調節装置用の配管９１，９１ａ（図４では省略、図２を参照）を収容できる空間部９０を区画する。
【００５２】
図２に示すように、閉鎖パネル９と左側面パネル８の間の上方は、配管９１，９１ａを連通する連通口９００が設けてある。閉鎖パネル９ａと左側面パネル８ａの間の上方も、同様に配管９１，９１ａを連通する連通口９００ａが設けてある。図８に示すように、閉鎖パネル９，９ａは、上下二段に重ねられた周壁１００，１００ａの左側面側にそれぞれ（合計で二枚）接合されている。
【００５３】
図２に示すように、一方の配管９１の一端側（下端側）は、左側面パネル８を水平方向に貫通して、図３で左側面パネル８の右上に表れている円形の吹出口８４と連通している。第二居室構造体１Ａに接続される他方の配管９１ａについても同じである。配管９１，９１ａの他方側（上端側）は、左側面パネル８，８ａから抜けて上方へＬ形状に曲げられ、上記した連通口９００，９００ａを通って居室構造体１，１ａの上方に引き出されている。
【００５４】
そして、本実施例では、配管９１，９１ａに接続される空気調整装置（図示省略）は、居室構造体１，１Ａの外に設けられている。災害時などに居室構造体１，１Ａを体育館等に設置する場合は、例えば体育館の二階席や用具倉庫内に空気調整装置の室内機を置き、そこから空調用の配管９１，９１ａを各居室構造体１，１Ａまで引けば良い。また本実施例とは相違して、上記閉鎖パネル９，９ａで区画する空間部９０を広くとれば、空間部９０内に空気調節装置の室内機を設置することもできる。
【００５５】
上記した正面パネル５１，５２、背面パネル６１，６２、右側面パネル７、左側面パネル８、天井パネル２１，２２、床パネル３１，３２及び閉鎖パネル９は、木製のパネル体でそれぞれ形成されている。これらの各パネル体は、居室構造体１の分解後に重ねて収容しやすいように、外形の大きさが同じか大体同じパネルで形成することが好ましい。
【００５６】
天井パネル２１，２２を除く各パネル体は、いわゆる「フラッシュ構造」で形成されている。即ち、框を枠組みして方形状に形成し、その内側に桟を格子状等に設け、更に薄板状の木板（本実施例では杉材を加工した無垢板）を表裏方向から張り合わせることによって形成されている。また、フラッシュ構造で形成したパネル体の内部に、断熱材（図示省略）を入れることもできる。
【００５７】
周壁１００及び天井部２００を構成する各パネル体５１，５２，６１，６２，７，８の接合部分に光を通す隙間が形成されないように、パネル体の一方の接合部には、パネル体の他方の接合部に形成された突条部と嵌り合う溝部が形成されている。この接合部分の詳細については、後述する。
【００５８】
図３で第一居室構造体１の左側面パネル８において、吹出口８４の右横に表れている円形状のものは、調光ライト８５を示している。吹出口８４と調光ライト８５の下方には、空気調節装置の操作パネル８６が設けてある。
【００５９】
図２及び図３に示すように、第一背面パネル６１の所要の位置には、液晶テレビ等といった薄型のテレビジョン受信機１８（図２及び図３では二点鎖線で示す）が取り付けてある。テレビジョン受信機１８は、背面パネル６１に固定された取り付け用のアーム部材１８１の先部に設けてある。そして、座ったり寝ころんだりしても、テレビ番組を見やすいように、ディスプレイの角度や向きを調整できるようになっている。
【００６０】
図２で符号１３は、床パネル３１，３２上に敷いた敷き布団を示している。符号１４は、天井パネル３２に取り付けてある照明用のライトを示している。符号１５は、第二居室構造体１Ａへ登り降りするための梯子（図２及び図３で一点鎖線で表す）を示している。
【００６１】
第一居室構造体１の天井パネル２１，２２と、第二居室構造体１Ａの床パネル３１ａ，３２ａの間には、断熱材１６（二点鎖線で示す）を収容できる空間部１６０が設けてある。断熱材１６は、第一居室構造体１の床パネル３１，３２の下の空間部１６０や第二居室構造体１Ａの天井パネル２１，２２の上にも置くことができる。
【００６２】
図２及び図６に示すように、向かい合わせに配置された正面パネル５１，５２と背面パネル６１，６２の間には、床パネル３１，３２を載置できる連結部材３３が並設状態で所要数（本実施例では複数、１０箇所）架設されている。連結部材３３は、断面Ｌ形のＬ形鋼であるアングル材で形成されている。更に床パネル３１，３２は、周壁１００の内側面と接触しないように、その大きさが設定されている。この作用については後述する。なお、連結部材３３は、右側面パネル７と左側面パネル８の間にも、並設状態で架設することもできる。
【００６３】
出入口５００を構成する出入口枠５は、第一正面パネル５１及び第二正面パネル５２の間に左右両側から挟み込まれるようにして配置されている。各正面パネル５１，５２には、出入口枠５を嵌め入れる嵌合凹部５１０，５２０（図５参照）が向かい合うようにしてそれぞれ形成されている。正面パネル５１，５２は略「コ」状に全体が形成されている。出入口枠５は、第一正面パネル５１及び第二正面パネル５２を連結する役目も有している。
【００６４】
［居室構造体１，１Ａの組み立て手順］
図９ないし図１２は、図１に示す第一居室構造体１の組み立て手順を説明するための図である。
図９は、右側面パネルに対する正面パネル及び背面パネルの接合方法を示す斜視説明図、
図１０は、各パネル体の接合に使用する接合金具の構造の一例を示す斜視説明図、
図１１は、出入口枠及び背面パネル同士の接合方法を示す斜視説明図、
図１２は、左側面パネルの接合方法を示す斜視説明図である。
【００６５】
図１３ないし図１９は、図２ないし図４で一点鎖線で示す円で囲んだ接合部分を拡大して示す断面説明図である。
図１３は、図４に示すＡ部分の部分拡大断面説明図、
図１４は、図４に示すＢ部分の部分拡大断面説明図、
図１５は、図４に示すＣ部分を示す部分拡大断面説明図、
図１６は、図４に示すＤ及びＨ部分の部分拡大断面説明図、
図１７は、図２に示すＥ部分の部分拡大断面説明図、
図１８は、図２に示すＦ部分の部分拡大断面説明図、
図１９は、図３に示すＧ部分の部分拡大断面説明図である。
【００６６】
以下、二段式の居室構造体１，１Ａの組み立て手順を順を追って説明しながら、各パネル体の接合方法について詳細に説明する。
【００６７】
(1) まず、図９に示すように、右側面パネル７に対し、第一正面パネル５１及び第一背面パネル６１を上から落とし込むように接合して、これらを図１１で右側に示すような平面視略「コ」状に連結する。第一正面パネル５１及び第一背面パネル６１の接合側である各一端側は、右側面パネル７の左右両端側と直角またはほぼ直角に接合される。
【００６８】
第一背面パネル６１と右側面パネル７との接合部分の平面視断面は、図１３に示すように表れる。第一正面パネル５１と右側面パネル７についても、図１３と同様に表れる（ただし、図１３とは対称）。
【００６９】
図９に示すように、第一正面パネル５１及び第一背面パネル６１の接合部分である各端面部５１１，６１１は、右側面パネル７の接合部分である内側面７０の左右両端側に接合される。各パネル体５１，６１，７の接合には、図１０に示すような後述する接合部材である接合金具１２が使用できる。
【００７０】
図９に示すように、右側面パネル７の左右両端側には、第一正面パネル５１及び第一背面パネル６１の端面部５１１，６１１側に形成された突条部５１２，６１２と嵌り合う溝である接合溝７２，７１がそれぞれ形成されている。このような構造により、接合部分にに光が差し込む隙間が形成されないようになっている。
【００７１】
図１３に示すように、第一背面パネル６１の突条部６１２は、端面部６１１から右側面パネル７側へやや張り出した状態で、第一背面パネル６１の内面側（組み立て後に形成される居室側）に高さ方向全体に渡って形成されている。詳しくは、第一背面パネル６１を構成する表裏面の各側面板６１３，６１４のうち、内面側（居室内側）に位置する側面板６１３の端部側が他方の側面板６１４よりも長くなっており、この長くなった部分が上記した突条部６１２を形成している。
【００７２】
この突条部６１２が嵌め入れられる右側面パネル７の接合溝７１は、図９で右側面パネル７の内面側（居室内側）の右端側に高さ方向全体に渡って形成されている。
【００７３】
更に、図９に示すように、第一背面パネル６１の端面部６１１には、高さ方向に沿って溝６１５が形成されている。この溝６１５には、図１０に示す接合金具の一方を構成する係合受部１２１が、高さ方向に所要の間隔をおいて所要数（本実施例では複数、三箇所）設けてある。同じく、接合金具の他方を構成する掛止部である掛止ピン１２２が右側面パネル７の接合部の対応する所要位置に、係合受部１２１と同じ数設けてある。
【００７４】
図１０に示すように、接合金具１２の係合受部１２１は、掛止ピン１２２を嵌め入れて固定する溝である係合溝１２３を有する。この接合金具１２は公知技術を採用できるので、その構造についての詳細な説明は省略する。
【００７５】
なお、第一正面パネル５１の突条部５１２、溝５１５、接合金具１２の係合受部１２１についても、第一背面パネル６１と同じか大体同じ構造であるため、説明を省略する。なお、突条部５１２は、図９で第一正面パネル５１の内面側（居室内側）に高さ方向全体に渡って形成されている。
【００７６】
また図１０に示す参考図では、左側のパネルＬに対して右側のパネルＲを上から落とし込むことで、接合が完了するが、係合受部１２１を上下逆に取り付ければ、反対に右側のパネルＲに対して左側のパネルＬを上から落とし込むませることで接合を完了させることができる。なお、図９に示す第一背面パネル６１と第一正面パネル５１の場合は、係合受部１２１の上下の向きが図１０と逆になっている。
【００７７】
(2) 次に、図１１に示すように、平面視略「コ」状に連結されたうちの第一背面パネル６１に第二背面パネル６２を接合し、第一正面パネル５１に出入口枠５を接合する。更に図１２のように接合した出入口枠５の左端側に、第二正面パネル５２を接合する。
【００７８】
（第二背面パネル６２側の接合）
図１１に示すように、第一背面パネル６１の左端側の接合部分に、第二背面パネル６２の右端側の接合部を上から落とし込むようにして接合する。これにより、図１２に示すように、第一背面パネル６１及び第二背面パネル６２で、背面側の側壁が構成される。第二背面パネル６２及び第一背面パネル６１の各接合部には、図１０に示したような係合受部１２１と掛止ピン１２２からなる接合金具が設けられている。なお、係合受部１２１は、第二背面パネル６２の端面の溝６２６の中に設けてある。
【００７９】
第一背面パネル６１と第二背面パネル６２との接合部分の平面視断面は、図１４に示すように表れる。第二背面パネル６２の接合部は、高さ方向全体に渡って溝である接合溝６２２（図１１も参照）が形成されている。この接合溝６２２に第一背面パネル６１の高さ方向全体に渡って形成された突条部６１６が嵌り合うことで、接合後に光が差し込む隙間が形成されないようになっている。
【００８０】
図１４に示すように、第二背面パネル６２の接合溝６２２は、第二背面パネル６２を構成する表裏面の各側面板６２４，６２５の幅方向の一端部（図１４で右端部）が、端面よりも側方に張り出すことで形成されている。一方、第一背面パネル６１の突条部６１６は、第一背面パネル６１を構成する表裏面の各側面板６１３，６１４よりも側方に突出して形成されている。
【００８１】
（出入口枠５側の接合）
第一正面パネル５１は、図１１で左側に嵌合凹部５１０を備えている。そして、この嵌合凹部５１０に、図９で出入口枠５の右側をスライドして嵌め込む。第一正面パネル５１に出入口枠５を嵌め込むと、図１２で出入口枠５（一点鎖線で示す）の左側が張り出した状態となる。
【００８２】
更にこの張り出した出入口枠５の左側に、図１２で第二正面パネル５２の右側の嵌合凹部５２０を嵌め込む。これにより、出入口枠５は、相互に接合される第一正面パネル５１と第二正面パネル５２の間に左右両側から挟み込まれるようにして配置される。
【００８３】
図３に示す出入口枠５の断面を見ると分かるように、出入口枠５の外周縁には、周方向全体にわたって略「コ」状の溝である凹溝５０（図１１も参照）が形成されている。この凹溝５０の幅は、第一正面パネル５１の嵌合凹部５１０及び第二正面パネル５２の嵌合凹部５２０の内縁部を嵌め込むことができるような大きさに設定されている。
【００８４】
図１１に示すように、出入口枠５の上部と下部の所要の位置には、図１０に示した接合金具１２の掛止ピン１２２が、所要の間隔をおいて所要数（本実施の形態では上下に二箇所ずつ）設けてある。そして、各嵌合凹部５１０，５２０の対応するスライド方向の内面部に形成された各溝５１３，５２４内に、上記した掛止ピン１２２と接合する係合受部１２１が対応する位置に所要数設けてある。
【００８５】
そうして、第一正面パネル５１の嵌合凹部５１０に出入口枠５をスライドして嵌め入れることで、係合受部１２１に掛止ピン１２２が掛止し、両者が強固に接合される。第二正面パネル５２についても同じである。
【００８６】
第一正面パネル５１と第二正面パネル５２の接合部分の平面視断面は、図１５に示すように表れる。第二正面パネル５２の接合部は、高さ方向全体に渡って溝である接合溝５２２（図１２も参照）が形成されている。この接合溝５２２に第一正面パネル５１の先端部に設けてある突条部５１４が嵌り合うことで、接合後に光が差し込む隙間が形成されないようになっている。この接合構造は、図１４に示すものと同じか大体同じである。
【００８７】
第一正面パネル５１と第二正面パネル５２の接合には、図１０に示した接合金具ではなく、インビス（図１５参照、商品名「INVIS」、Lamello社製）と称される接合金具１９が使用されている。この接合金具１９は、ネジに触れずに、磁力によってネジを締めることができるものである。  
【００８８】
詳しくは、図１５に示すように、左側の第二正面パネル５２にインビスのネジ部１９１を取り付け、このネジ部１９１と固定されるインビスのナット部１９２を右側の第一正面パネル５１に取り付ける。そして、第一正面パネル５１及び第二正面パネル５２の接合面を突き合わせたうえで、インビスマグネットスクリュードライバー（図示せず）と称される磁力を利用した締付具を当て電源を入れる。これにより、ネジに触れずに、内部でネジ部１９１がナット部１９２にねじ込まれ、両者の接合が完了する。なお、インビスは、公知技術を採用しているので、その詳細なメカニズムについては説明を省略する。
【００８９】
(3) 次に、図１２に示すように、第二正面パネル５２及び第二背面パネル６２の間に、左側面パネル８を嵌め込んで、図６に示すような周壁１００を形成する。左側面パネル８の嵌め込みは、一旦両側に拡げた第二正面パネル５２と第二背面パネル６２の間に左側面パネル８を置いてから、再び第二正面パネル５２と第二背面パネル６２を閉じれば良い。
【００９０】
第二正面パネル５２と左側面パネル８との接合部分の平面視断面は、図１６に示すように表れる。左側面パネル８の両端の接合部には、接合後に光が差し込む隙間が形成されないように、第二正面パネル５２及び第二背面パネル６２の各接合部に形成された溝である接合溝５２３，６２３と嵌り合う突条部８１，８２が形成されている。突条部８１，８２は、各端面部８１１，８１２から両側にやや張り出した状態で、左側面パネル８の内面側（組み立て後に形成される居室側）に高さ方向全体に渡って形成されている。
【００９１】
上記した第二正面パネル５２及び第二背面パネル６２の各接合溝５２３，６２３は、第二正面パネル５２及び第二背面パネル６２の図１２で左端部からやや右寄り（端部より内側に）設けてある。これにより、第二正面パネル５２と第二背面パネル６２の間に左側面パネル８を嵌め込む（図６参照）と、第二正面パネル５２及び第二背面パネル６２の端部側が左側面パネル８よりも張り出す。そして、この張出部５２１，６２１によって、後述する閉鎖パネル９と協働して、空気調節装置用の配管９１を収容できる空間部９０が区画される。
【００９２】
なお、左側面パネル８（図１２参照）の下部中央には、各種配線を居室内に取りこむための切欠部８３が形成されている。
【００９３】
(4) 更に図６に示すように、接合した第一背面パネル６１及び第二背面パネル６２の内面下部側に、床パネル３１，３２を間接的に受ける受部材（根太）である棒状で木製の横木６５（図５も参照）を取り付ける。横木６５は、ネジやビス等の締付固定具（図示省略）で固定される。横木６５は、第一背面パネル６１と第二背面パネル６２を連結する連結部材としての役目を有している。また、接合した第一正面パネル５１及び第二正面パネル５２の内面下部側にも同様に、横木５３（図５も参照）を取り付ける。
【００９４】
(5) そして、向かい合わせに配置された各正面パネル５１，５２と背面パネル６１，６２の間に、床パネル３１，３２を載置できる連結部材３３を並設状態で複数架設する。アングル材で形成された連結部材３３は、周壁１００の長手方向に沿って所要の間隔をおいて所要数（本実施例では複数、十箇所）載置される。そして、ネジやビス等の締付固定具（図示省略）を使用して、連結部材３３の両端を上記した横木６５と横木５３に取り外し可能に固定する。連結部材３３は、アングル材の先端部が床パネル３１，３２に当接するように、取り付けられる。
【００９５】
(6) 連結部材３３の上には、図６に示す一対の床パネル３１，３２が取り外し可能に載置される。床パネル３１，３２は、ベニヤ板等の平面視正方形状の薄板で形成され、軽量化が図られている。なお、上記したように床パネル３１，３２は、周壁１００の内側面と接触しないように、その大きさが設定されている。よって、床パネル３１，３２に人が載ったときに、木材特有の乾いた軋み音が発生しにくい。符号３１１は、連結部材３３の上に載置した床パネル３１，３２を取り外したりする際に、指を入れるための孔を示している。
【００９６】
また横木６５，５３は、周壁１００の下端部よりも上方に取り付けてあるため、連結部材３３の下には上記した空間部１６０が設けられる。この空間部１６０には断熱材１６（図２で二点鎖線で示す）を収容できる。なお、断熱材１６は防音効果も有している。
【００９７】
(7) 次に、図７に示すように、周壁１００の上部側の開口部（符号省略）を閉じる天井パネル２１，２２を取り付ける。本実施例では、平面視正方形状の一対の天井パネル２１，２２で周壁１００上方の開口部を閉じる。各天井パネル２１，２２と周壁１００との接合部分うち、該天井パネル２１，２２の左右両側の接合部には、接合後に光が差し込む隙間が形成されないように、周壁１００の他方の接合部に形成された溝である接合溝１０１と嵌り合う突条部２１０，２２０（紙面奥側の突条部２１０，２２０は隠れて表れず）が形成されている。
【００９８】
天井パネル２１，２２の両端の各突条部２１０，２２０は、天井パネル２１，２２の裏面側（組み立て後に形成される居室側）に、幅方向全体に渡って形成されている。周壁１００の接合溝１０１は、各正面パネル５１，５２、背面パネル６１，６２、右側面パネル７の上部側の内側面に幅方向全体にわたって形成されている。
【００９９】
このような構成により、図７に示すように、天井パネル２１，２２を周壁１００の長手方向へスライドさせながら、周壁１００上部の開口部を閉じるように嵌め込む。これにより、一段目の第一居室構造体１が完成する。
【０１００】
図７で左側の天井パネル２２と左側面パネル８の接合部分の側面視断面は、図１７に示すように表れる。また、図７で右側の天井パネル２１と右側面パネル７の接合部分の側面視断面は、図１８に示すように表れる。
【０１０１】
図１７に示すように、周壁１００に対する天井パネル２２の固定は、図７で左側に位置する天井パネル２２を左側面パネル８に固定することで行う。即ち、ネジやビス等の締付固定具９６で天井パネル２１の端部（図１７で左端部）を左側面パネル８（図１７参照）に取り外し可能に固定して行う。
【０１０２】
図７に示すように、天井パネル２１，２２は、他のパネル体とは相違して、フラッシュ構造で形成されていない。即ち、フラッシュ構造で形成されたパネル体のうち、表面の木板を取り外したような形状になっている。これにより、格子状に設けられた桟である棒状の連結部２１１，２１１同士の間に、凹部２１２が所要数並設されたような形状となっている。
【０１０３】
そして、図１７に示すように、天井パネル２１，２２を周壁１００に接合した後の凹部２１２の奥部の位置は、周壁１００の上端部の高さよりも一段低くなっている。そして、この天井パネル２１，２２の凹部２１２上に、上記した断熱材１６を収容できる空間部１６０が形成される。
【０１０４】
(8) 二段目の第二居室構造体１Ａは、一段目の第一居室構造体１と同じような手順で組み立てる。なお、第二居室構造体１Ａは、全体を組み立てた後に、第一居室構造体１の上に搭載することもできるが、全体を組み立てると重量が重くなるため、第二居室構造体１Ａを構成する各パネル体を第一居室構造体１の上に一つずつ載せながら、第二居室構造体１Ａ全体を少しずつ組み立てていくことが好ましい。
【０１０５】
第一居室構造体１及び第二居室構造体１Ａ同士の固定は、ネジやビス等の締付固定具９６を使う。即ち、図１９に示すように、第二居室構造体１Ａの横木６５及び横木５３（横木５３の断面は省略）から、第一居室構造体１の天井パネル２１，２２の所要の位置に締付固定具９６を取り外し可能に固定して行う。
【０１０６】
また、第一居室構造体１と第二居室構造体１Ａとがずれずに安定して固定できるように、図６、図１８及び図１９に示すように、閉鎖パネル９を除く第一居室構造体１の周壁１００の上端面部には、第二居室構造体１Ａの周壁１００ａの下端面部に形成された溝１０２と嵌合して合致する突条部１０３が連続的に形成されている。
【０１０７】
なお、居室構造体を上下三段に積み重ねる場合には、同様に、第二居室構造体１Ａの周壁１００ａの上端面部に突条部１０３（図示省略）を形成し、三段目の居室構造体（図示省略）における周壁の下端面部に上記突条部１０３と合致する溝１０２を形成すればよい。
【０１０８】
(9) 第一居室構造体１の上に第二居室構造体１Ａを組み立てたら、図８に示す連結部材９７を所要数（本実施例では複数、二箇所）使用して両者を固定する。連結部材９７は、断面Ｌ形のＬ形鋼であるアングル材で形成されており、ネジやビス等の締付固定具（図示省略）を使用して取り外し可能に固定する。
【０１０９】
その後、図２に示すように、空気調節装置用の配管９１，９１ａを接続した後（図８では図示省略）、平面視正方形状の上下一対の閉鎖パネル９，９ａで配管９１，９１ａを収容する空間部９０を閉じる。
【０１１０】
図８に示すように、閉鎖パネル９，９ａの接合部である所要の位置には、接合金具の一方を構成する掛止ピン１２２（図１０も参照）が設けてあり、各第二正面パネル５２及び第二背面パネル６２の接合部である各端面部５２５，５２５ａ，６２７，６２７ａ（端面部６２７は図８では隠れて表れず、図６参照）には、掛止ピン１２２に係合する係合受部１２１（図面では隠れて表れず）が設けてある。
【０１１１】
以上のようにして、第一居室構造体１の上に第二居室構造体１Ａを載せて組み立て、図１に示すような二段式の居室構造体１，１Ａを組み立てる。なお、居室構造体１，１Ａの分解は、上記した組み立てと大体に逆の手順で行うので、詳しい説明は省略する。
【０１１２】
（作  用）
本実施例に係る居室構造体１，１Ａは、次のように作用する。
居室構造体１，１Ａは、組立部材として木製のパネル体を使用している。これにより、プラスチック製の居室構造体と比べ、木材の自然の呼吸機能の作用で居室内に湿気がこもりにくい。また、木の手触りや外観などの印象において自然の温もりが感じられると共に、木の香りよってストレスを和らげる効果やリラックス効果が期待されるので、大きなストレスを感じやすい体育館等の避難所等で好適に使用できる。
【０１１３】
更に相互に接合する木製のパネル体のうち、パネル体の一方の接合部には、該接合後に光が差し込む隙間が形成されないように、パネル体の他方の接合部に形成された突条部と嵌り合う溝が形成されている。従って、温度や湿度の変化によって木の膨張・収縮しても、パネル体の接合部分に居室内へ光が漏れるような隙間が形成されることを防止できる。
【０１１４】
また上記したように、図６に示す床パネル３１，３２は、周壁１００を構成する各パネル体の内側面と接触しないように、その大きさが設定されているので、床パネル３１，３２に人が載ったときに、木材特有の乾いた軋み音が発生しにくい。
【０１１５】
更に、出入口５００が設けられる正面側の側壁は、二枚の正面パネル５１，５２で出入口枠５を間に挟んだ状態で構成されているので、出入口５００を大きく開口した場合でも
出入口５００部分の物理的強度または機械的強度が低下することをある程度補強することができる。
【０１１６】
また更に、図２に示すように、空気調節装置用の配管９１，９１ａを収容できる空間部９０を閉鎖パネル９，９ａで区画することにより、配管９１は外から見えなくなる。このように、居室構造体に空調設備を設けた場合でも、空調用の配管９１等が露出することを防止できる。
【０１１７】
なお、本明細書で使用している用語と表現はあくまで説明上のものであって、限定的なものではなく、上記用語、表現と等価の用語、表現を除外するものではない。また、本発明は図示の実施例に限定されるものではなく、技術思想の範囲内において種々の変形が可能である。
【０１１８】
更に、特許請求の範囲には、請求項記載の内容の理解を助けるため、図面において使用した符号を括弧を用いて記載しているが、特許請求の範囲を図面記載のものに限定するものではない。
【図面の簡単な説明】
【０１１９】
【図１】居室構造体を上下二段に積み重ねた状態を示す正面視説明図。
【図２】図１に示す居室構造体を垂直方向に断面して内部構造を表した正面視説明図。
【図３】図１に示す居室構造体を幅方向に断面して内部構造を表した側面視説明図。
【図４】図１に示す一段目の居室構造体を水平方向に切った端面を表した平面視概略説明図。
【図５】第一居室構造体の主な組立部材を示す分解斜視説明図。
【図６】組み立てた周壁と、周壁の底側に載置する床パネルを示す斜視説明図。
【図７】周壁に天井パネルを取り付けている状態を示す斜視説明図。
【図８】上下二段に積み重ねた周壁の側面側に、閉鎖パネルを取り付けている状態を示す斜視説明図。
【図９】右側面パネルに対する正面パネル及び背面パネルの接合方法を示す斜視説明図。
【図１０】各パネル体の接合に使用する接合金具の構造の一例を示す斜視説明図。
【図１１】出入口枠及び背面パネル同士の接合方法を示す斜視説明図。
【図１２】左側面パネルの接合方法を示す斜視説明図。
【図１３】図４に示すＡ部分の部分拡大断面説明図。
【図１４】図４に示すＢ部分の部分拡大断面説明図。
【図１５】図４に示すＣ部分を示す部分拡大断面説明図。
【図１６】図４に示すＤ及びＨ部分の部分拡大断面説明図。
【図１７】図２に示すＥ部分の部分拡大断面説明図。
【図１８】図２に示すＦ部分の部分拡大断面説明図。
【図１９】図３に示すＧ部分の部分拡大断面説明図。
【符号の説明】
【０１２０】
１ 第一居室構造体
１ 第二居室構造体
５ 出入口枠
７ 右側面パネル
８ 左側面パネル
９０ 空間部
９ 閉鎖パネル
１１ 手摺り
１２ 接合金具
１６ 断熱材
１８ テレビジョン受信機
１９ 接合金具
２１，２２ 天井パネル
２１０，２２０ 突条部
３１，３２ 床パネル
３３ 連結部材
５０ 凹溝
５１ 第一正面パネル
５２ 第二正面パネル
５３ 横木
６１ 第一背面パネル
６２ 第二背面パネル
６５ 横木
７０ 内側面
７１，７２ 接合溝
８１, ８２ 突条部
８３ 切欠部
８４ 吹出口
８５ 調光ライト
８６ 操作パネル
９０ 空間部
９１ 配管
９６ 締付固定具
９７ 連結部材
１００ 周壁
１０１ 接合溝
１０２ 溝
１０３ 突条部
１２１ 係合受部
１２２ 掛止ピン
１２３ 係合溝
１６０ 空間部
１８１ アーム部材
１９１ ネジ部
１９２ ナット部
２００ 天井部
２１１ 連結部
２１２ 凹部
２２０ 突条部
３００ 床部
３１１ 孔
５００ 出入口
５１０ 嵌合凹部
５１０，５２０ 嵌合凹部
５１１，６１１ 端面部
５１２，６１２ 突条部
５１３，５２４ 溝
５１４ 突条部
５１５ 溝
５２０ 嵌合凹部
５２１，６２１ 張出部
５２２ 接合溝
５２３，６２３ 接合溝
５２５，５２５ａ，６２４，６２４ａ 端面部
６１１ 端面部
６１２ 突条部
６１３，６１４ 側面板
６１６ 突条部
６１５ 溝
６２２ 接合溝
６２４ 端面部
６２４，６２５ 側面板
６２６  溝
８１１，８１２ 端面部
９００ 連通口
【図１】
2007092374.tif 000003
【図２】
2007092374.tif 000004
【図３】
2007092374.tif 000005
【図４】
2007092374.tif 000006
【図５】
2007092374.tif 000007
【図６】
2007092374.tif 000008
【図７】
2007092374.tif 000009
【図８】
2007092374.tif 000010
【図９】
2007092374.tif 000011
【図１０】
2007092374.tif 000012
【図１１】
2007092374.tif 000013
【図１２】
2007092374.tif 000014
【図１３】
2007092374.tif 000015
【図１４】
2007092374.tif 000016
【図１５】
2007092374.tif 000017
【図１６】
2007092374.tif 000018
【図１７】
2007092374.tif 000019
【図１８】
2007092374.tif 000020
【図１９】
2007092374.tif 000021